【事件の表示】
　特許第３０３９７７７号「ストレッチ包装機」の請求項１ないし３に係る特許に対する特許異議の申立てについて、次のとおり決定する。
【結　論】
　訂正を認める。
　特許第３０３９７７７号の請求項１ないし３に係る特許を取り消す。
【理　由】
１．手続の経緯の概要
　本件特許第３０３９７７７号発明は、平成９年４月１８日に特許出願され、平成１２年３月３日に設定登録（平成１２年５月８日特許公報発行）がなされ、その後、平成１２年８月８日付けで茨木精機株式会社より特許異議の申立てがなされ、取消理由の通知がなされ、その指定期間内である平成１３年１０月５日に意見書の提出とともに訂正請求がなされたものである。
　
２．訂正の適否
　（１）訂正の内容
　訂正事項ａ
　特許請求の範囲の請求項１に係る記載
「トレイを載置搬送するコンベア装置の左右両側に、フィルムを展張して送り出す一対のフィルム供給装置を前記トレイの搬送方向に向かって下降傾斜状態に配設し、このフィルム供給装置の内側にこのフィルム供給装置によって展張されたフィルムを前記コンベア装置の上方に張架させる一対のフィルムガイド部を設け、前記トレイを前記コンベア装置によって搬送させ前記フィルムガイド部間を通過させて、前記フィルム供給装置から解放されたフィルムを前記トレイに上方から被せると共に、このフィルムの両端部を前記トレイの下側に誘導してフィルムをトレイに筒状に被せ、このトレイの前後のフィルムを切断してトレイに折り込みフィルム包装するように構成したストレッチ包装機において、前記フィルム供給装置の前記フィルムを左右両側から展張状態に挟持することが解放されるフィルム解放位置よりも、前記フィルムガイド部の搬送方向側先端部をトレイ搬送方向に突出するように配設し、前記展張されているフィルムは、前記フィルム供給装置のフィルム解放位置に合致する搬送位置に前記コンベア装置によって搬送されたトレイにおいては、前記フィルムガイド部によって前記トレイの上方に張架支持され、このトレイが前記フィルム解放位置に合致する搬送位置よりも搬出側に搬送された後にトレイの上部にフィルムが被せられるように構成したことを特徴とするストレッチ包装機。」を
「トレイを載置搬送するコンベア装置の左右両側に、フィルムを展張して送り出す一対のフィルム供給装置を前記トレイの搬送方向に向かって下降傾斜状態に配設し、このフィルム供給装置の内側にこのフィルム供給装置によって展張されたフィルムを前記コンベア装置の上方に張架させる一対のフィルムガイド部を設け、前記トレイを前記コンベア装置によって搬送させ前記フィルムガイド部間を通過させて、前記フィルム供給装置から解放されたフィルムを前記トレイに上方から被せると共に、このフィルムの両端部を前記トレイの下側に誘導してフィルムをトレイに筒状に被せ、このトレイの前後のフィルムを切断してトレイに折り込みフィルム包装するように構成したストレッチ包装機において、前記フィルム供給装置の前記フィルムを左右両側から展張状態に挟持することが解放されるフィルム解放位置よりも、前記フィルムガイド部の搬送方向側先端部をトレイ搬送方向に突出するように配設するとともに、その搬送方向側先端部Ｑの高さ位置を前記トレイ１の上縁より若干高い位置に設定し、前記展張されているフィルムは、前記フィルム供給装置のフィルム解放位置に合致する搬送位置に前記コンベア装置によって搬送されたトレイにおいては、前記フィルムガイド部によって前記トレイの上方に張架支持され、このトレイが前記フィルム解放位置に合致する搬送位置よりも搬出側に搬送された後に前記フィルムガイドの搬送方向側先端部を過ぎる位置にてトレイの上部にフィルムが被せられるように構成したことを特徴とするストレッチ包装機。」と訂正する。
　訂正事項ｂ
　明細書の段落【００１０】を、
「トレイ１を載置搬送するコンベア装置２の左右両側に、フィルム３を展張して送り出す一対のフィルム供給装置４を前記トレイ１の搬送方向に向かって下降傾斜状態に配設し、このフィルム供給装置４の内側にこのフィルム供給装置４によって展張されたフィルム３を前記コンベア装置２の上方に張架させる一対のフィルムガイド部５を設け、前記トレイ１を前記コンベア装置２によって搬送させ前記フィルムガイド部５間を通過させて、前記フィルム供給装置４から解放されたフィルム３を前記トレイ１に上方から被せると共に、このフィルム３の両端部を前記トレイ１の下側に誘導してフィルム３をトレイ１に筒状に被せ、このトレイ１の前後のフィルム３を切断してトレイ１に折り込みフィルム包装するように構成したストレッチ包装機において、前記フィルム供給装置４の前記フィルム３を左右両側から展張状態に挟持することが解放されるフィルム解放位置Ｐよりも、前記フィルムガイド部５の搬送方向側先端部Ｑをトレイ搬送方向に突出するように配設するとともに、その搬送方向側先端部Ｑの高さ位置を前記トレイ１の上縁より若干高い位置に設定し、前記展張されているフィルム３は、前記フィルム供給装置４のフィルム解放位置Ｐに合致する搬送位置Ｐ’に前記コンベア装置２によって搬送されたトレイ１においては、前記フィルムガイド部５によって前記トレイ１の上方に張架支持され、このトレイ１が前記フィルム解放位置Ｐに合致する搬送位置Ｐ’よりも搬出側に搬送された後に前記フィルムガイド部５の搬送方向側先端部Ｑを過ぎる位置にてトレイ１の上部にフィルム３が被せられるように構成したことを特徴とするストレッチ包装機に係るものである。」と訂正する。
　
　（２）訂正の目的の適否、新規事項の有無、及び特許請求の範囲の拡張・変更の存否
　上記訂正事項ａは、特許明細書の発明の詳細な説明の記載（段落【００１９】、【００２０】、【００３３】、【００３６】、【００４０】、【００４１】等参照）に基づいてフィルムガイド部の配設構造を限定しようとするものであるから、特許請求の範囲の減縮を目的とした明細書の訂正に該当するものである。
　上記訂正事項ｂは、上記訂正事項ａによる特許請求の範囲の訂正に伴い、発明の詳細な説明の記載を整合させるために訂正しようとするものであるから、明りょうでない記載の釈明を目的とした明細書の訂正に該当するものである。
　そして、上記訂正事項ａ及び訂正事項ｂは、願書に最初に添付した明細書又は図面に記載した事項の範囲内の訂正であって、新規事項の追加に該当せず、実質上特許請求の範囲を拡張し、又は変更するものではない。
　
　（３）むすび
　したがって、上記訂正は、特許法第１２０条の４第２項及び同条第３項において準用する特許法第１２６条第２及び第３項の規定に適合するので、当該訂正を認める。
　
３．特許異議の申立ての概要
　申立人茨木精機株式会社は、甲第１号証及び甲第２号証を提出して、概略「本件の請求項１ないし３に係る特許発明は、本件特許出願前に頒布された甲第１号証及び甲第２号証の刊行物に記載された発明に基づいて当業者が容易に発明をすることができたものであるから、特許法第２９条第２項の規定により特許を受けることができず、よって本件特許は、取り消されるべきものである。」旨主張している。
　〈証拠方法〉
　甲第１号証；特公昭５３−４８１５２号公報
　甲第２号証；特開平３−１８７８０６号公報
　
４．特許異議の申立てについての判断
　（１）本件訂正発明１〜３
　訂正明細書の請求項１〜３に係る発明（以下、それぞれ「本件訂正発明１」〜「本件訂正発明３」という。）は、訂正明細書の特許請求の範囲の請求項１〜３に記載された事項により特定される下記のとおりのものである。
　「【請求項１】トレイを載置搬送するコンベア装置の左右両側に、フィルムを展張して送り出す一対のフィルム供給装置を前記トレイの搬送方向に向かって下降傾斜状態に配設し、このフィルム供給装置の内側にこのフィルム供給装置によって展張されたフィルムを前記コンベア装置の上方に張架させる一対のフィルムガイド部を設け、前記トレイを前記コンベア装置によって搬送させ前記フィルムガイド部間を通過させて、前記フィルム供給装置から解放されたフィルムを前記トレイに上方から被せると共に、このフィルムの両端部を前記トレイの下側に誘導してフィルムをトレイに筒状に被せ、このトレイの前後のフィルムを切断してトレイに折り込みフィルム包装するように構成したストレッチ包装機において、前記フィルム供給装置の前記フィルムを左右両側から展張状態に挟持することが解放されるフィルム解放位置よりも、前記フィルムガイド部の搬送方向側先端部をトレイ搬送方向に突出するように配設するとともに、その搬送方向側先端部Ｑの高さ位置を前記トレイ１の上縁より若干高い位置に設定し、前記展張されているフィルムは、前記フィルム供給装置のフィルム解放位置に合致する搬送位置に前記コンベア装置によって搬送されたトレイにおいては、前記フィルムガイド部によって前記トレイの上方に張架支持され、このトレイが前記フィルム解放位置に合致する搬送位置よりも搬出側に搬送された後に前記フィルムガイドの搬送方向側先端部を過ぎる位置にてトレイの上部にフィルムが被せられるように構成したことを特徴とするストレッチ包装機。
　【請求項２】少なくとも前記フィルムガイド部の搬送方向側先端部のガイド上縁部を搬送方向に向かって下降傾斜する形状に構成し、この傾斜するガイド上縁部の前記フィルム解放位置に合致する搬送位置における高さを、前記コンベア装置により搬送される前記トレイの上縁より高い位置に設定したことを特徴とする請求項１記載のストレッチ包装機。
　【請求項３】遊転自在に設けたローラ部間に無端状ベルトを移動自在に懸架し、この無端状ベルトに前記フィルムが張架支持されるように前記フィルムガイド部を構成したことを特徴とする請求項１，２いずれか１項に記載のストレッチ包装機。」
　
　（２）引用刊行物
　当審が通知した取消理由に引用した刊行物１（特公昭５３−４８１５２号公報；申立人茨木精機株式会社の提出した甲第１号証）には、ストレッチフィルムを使って被包装物を筒状に被包し、該筒状の両端に耳部を形成しむる包装機に関して、下記の事項が図面とともに記載されている。
　記載事項ア；「２　機体の両側より中心に向って傾斜調整自在に取付けてなる一対のガイドローラーを設け、該ガイドローラーの下部位置に傾斜状に下降する巾広のフィルム挟持ベルトを各々両側に配し、該フィルム挟持ベルト中央位置に水平に走行するロアーコンベアを配し、さらにロアーコンベアの両側にフィルム押上機構を配し、後段にフィルム両端縁重合部を圧着せしむるフィルム端部圧着機構、並びに筒状フィルム内の被包装物と被包装物の中間部を順次切断する切断機構を備えたことを特徴とするストレッチ包装機。」（特許請求の範囲の欄第２項）
　記載事項イ；「本発明の目的とするところは、上記のシワの発生を阻止しかつフィルムに常時緊張力を加えながら包装せしむるストレッチ包装機を提供しようとするものである。」（第１頁２欄１２行〜１５行）
　記載事項ウ；「そして本発明の第２番目は、ストレッチフィルムを巻戻しつゝ挟持し、かつこれを緊張せしむるべく広巾の挟持ベルトを上下に傾斜して左右に対称的に配設せしめ、該広巾の挟持ベルトによりストレッチフィルム両端縁部が均等な力にて挟持されることゝ、該ストレッチフィルム端縁に近接して配設したフィルム押上機構により、ストレッチフィルムが筒状に形成されるまでトレイに接触せしめないようにしたストレッチ包装機を提触することにある。」（第１頁２欄２３行〜３２行）
　記載事項エ；「５はガイドロールであってその略真下に機体Ａの両側から中央に向って下向きに、かつ進行後側にその先端を傾斜するように調整自在に左右一対のガイドロール３２，３３を配設し、その後段に各々上下一対の巾広のフィルム挟持ベルト６，７及び８，９を進行方向に下降傾斜して配設してある。
　而して機体Ａの前方部に当接してトレイ送り装置Ｂを設け、該送り装置の送り爪１０，１０…によってトレイ１１（・・・略・・・）を順次搬送供給するように構成され、これと隣接して機体Ａの中央部には、複数列のロアーチエーンコンベア（・・・略・・・）１２，１３，１４，１５が設けられている。
　而して該ロアーチエーンコンベア１２，１３，１４，１５の両側部に近接して平行に走行するフィルム押上げ機構（例えばチエーンコンベア１６，１７）がトレイ１１の高さよりやゝ高い位置関係を保って配設され、前記ロアチエーンコンベア１２，１３，１４，１５と同じ速度で進行するように構成されている。
　１９は前記ロアチエーンコンベア１２，１３，１４，１５と略同一平面を保って後段に設けた三角形状の下部プレートであって、前進するトレイ１１の下面を受けると同時に三角形の斜辺でフィルム２の側部を中心に向って寄せ集めるべくガイドするためのものである。
　１８，２０は前記下部プレートに各々わずかのスキマを形成して配置した外側下部プレートである。
　更に、前記三角形状の下部プレート１９に対して略同一平面を保って両側方より一対のベルト装置２２，２２を添設してある。
　２６，２７は該ベルト装置２２，２２の駆動プーリーを兼ねたフィルム重合端部の圧着ローラーである。
　３０，３１は一対の圧着ローラー、２８，２９は前記圧着されたフィルム重合端部の折り曲げ癖をつけるための案内ロールである。」（第２頁３欄４行〜４２行）
　記載事項オ；「その間において進行下方に傾斜するフィルム２はその両側部を巾広ベルト６，７，８，９によって固く押圧挟持された状態で前進するので、トレイ１１上に載置せしめられた被包装物に当接し被包装物と共に前進し、さらに斜下方へ進行する挟持ベルト６，７，８，９と共に進行するフィルム２の両側は下方へ伸長されながら前進し断面略逆Ｕ字状を形成してトレイ１１の上面並びに側面を覆う形になる。
　このとき、前記チエーンコンベア１６，１７（押上機構）はトレイ１１よりやゝ高い位置をフィルム２と共に走行するようにしてあるのでフィルム２の強い伸長時の圧力を該チエーンコンベア１６，１７が受けるようになり、直接トレイ１１には力が加わらず変形されるような恐れがないものである。　更に前進して、前記挟持ベルト６，７，８，９の終端以降においては一対のサイドコンベア３４，３５によって被覆後のフィルムと一体にトレイ１１を挟持して前進するようになる。」（第２頁４欄３８行〜第３頁５欄１３行）
　記載事項カ；「さらにまたロアーチエーンコンベアの両側部に平行してサイドチエーンコンベア（押上機構）をトレイの高さよりやゝ高い位置を走行させるようにしたのでフィルムが斜下方に進行しながら被包装物に当接してフィルム側方を下方へ強く伸長されて移行するときのフィルムに働く力を前記チエーンコンベアが受けるようにし、直接トレイに加わらないようにしたので、トレイ側部を圧損することがなく仕上りの美しい包装品を得られる等、数々の効果を有するものである。」（第３頁６欄７行〜１６行）
　刊行物２（特開平３−１８７８０６号公報；申立人茨木精機株式会社の提出した甲第２号証）には、延伸性フィルムを引伸ばしながら被包装物の回りでチューブ化して包装するストレッチ包装機において、フィルムを予め被包装物から放してトンネル状に形成する装置に関して、下記の事項が図面とともに記載されている。
　記載事項キ；「さらに第３図の如く駆動軸（２８）に２個のメインプーリ（４０）（４０）をスライド自在に支持し、該プーリの周部の外側にボールベアリング（４１）（４１）を介してフレーム（４２）（４２）の端を支持すると共に、第４図及び第６図の如く前記フレーム（４２）を一側のねじ棒（１５）のねじに係合し、フレームに設けた複数のプーリ（４３）（４４）と前記メインプーリ（４０）とに細状ベルト（４５）を張架すると共に、フレーム他端（４６）を他側のねじ棒（１６）の上に載せている。この結果ベルト（４５）はメインプーリ（４０）の動力で回転させられ、第２図及び第５図の如くベルト（４５）（４５）はフィルム（Ｆ）を持上げ、被包装物（Ａ）はフィルムによって形成されたトンネル内を通過する。」（第３頁左上欄５行〜１７行）
　
　（３）対比・判断
　【本件訂正発明１について】
　刊行物１に記載された上記記載事項ア〜カからみて、刊行物１に記載された発明の「トレイ１１」、「ロアーチエーンコンベア１２，１３，１４，１５」、「下降傾斜して配設される上下一対の巾広のフィルム挟持ベルト６，７，８，９」、「サイドチエーンコンベア１６，１７（押上機構）」、「後段の三角形状の下部プレート１９，圧着ローラ２６，２７によるストレッチフィルムの筒状形成工程」、「切断機構による被包装物の中間部の切断工程」及び「ストレッチ包装機」は、各々本件訂正発明１の「トレイ」、「トレイを載置搬送するコンベア装置」、「トレイの搬送方向に向かって下降傾斜状態に配設される一対のフィルム供給装置」、「展張されたフィルムをコンベア装置の上方に張架させる一対のフィルムガイド部」、「フィルムの両端部をトレイの下側に誘導してフィルムをトレイに筒状に被せ」、「トレイの前後のフィルムを切断して」及び「ストレッチ包装機」に相当するものであるから、本件訂正発明１の用語を使用して本件訂正発明１と刊行物１に記載された発明とを対比すると、両者は、「トレイを載置搬送するコンベア装置の左右両側に、フィルムを展張して送り出す一対のフィルム供給装置を前記トレイの搬送方向に向かって下降傾斜状態に配設し、このフィルム供給装置の内側にこのフィルム供給装置によって展張されたフィルムを前記コンベア装置の上方に張架させる一対のフィルムガイド部を設け、前記トレイを前記コンベア装置によって搬送させ前記フィルムガイド部間を通過させて、前記フィルム供給装置から解放されたフィルムを前記トレイに上方から被せると共に、このフィルムの両端部を前記トレイの下側に誘導してフィルムをトレイに筒状に被せ、このトレイの前後のフィルムを切断してフィルム包装するように構成したストレッチ包装機において、前記フィルムガイド部の搬送方向先端部の高さ位置を前記トレイの上縁より若干高い位置に設定し、前記展張されているフィルムは、前記フィルム供給装置のフィルム解放位置に合致する搬送位置に前記コンベア装置によって搬送されたトレイにおいては、前記フィルムガイド部によって前記トレイの上方に張架支持され、このトレイが前記フィルムガイドの搬送方向側先端部を過ぎる位置にてトレイの上部にフィルムが被せられるように構成したストレッチ包装機。」で一致しており、下記の点で相違している。
　相違点１；本件訂正発明１では、トレイの前後を切断してトレイに折り込みフィルム包装するものであるのに対して、刊行物１に記載された発明では、切断機構で筒状フィルム内の被包装物と被包装物の中間部を切断した後、その切断端部をトレイに折り込むかどうか明らかでない点。
　相違点２；本件訂正発明１では、フィルム供給装置のフィルムを左右両側から展張状態に挟持することが解放されるフィルム解放位置よりも、フィルムガイド部の搬送方向側先端部をトレイ搬送方向に突出するように配設するとともに、その搬送方向側先端部Ｑの高さ位置を前記トレイ１の上縁より若干高い位置に設定し、トレイが前記フィルム解放位置に合致する搬送位置よりも搬出側に搬送された後に前記フィルムガイドの搬送方向側先端部を過ぎる位置にてトレイの上部にフィルムが被せられるものであるのに対して、刊行物１に記載された発明では、チエーンコンベア１６，１７（フィルムガイド部）は、トレイ１１よりやゝ高い位置をフィルム２と共に走行してあるよう設けて、挟持ベルト６，７，８，９（フィルム供給装置）によるフィルム２の強い伸長時の圧力を該チエーンコンベアで受けて直接トレイには力が加わらないように構成されるものではあるが、チエーンコンベアの搬送方向先端部の位置については明記されておらず、図面（第２，３，５図）からは、チエーンコンベアの搬送方向先端部は、挟持ベルトのフィルム解放位置よりもトレイ搬送方向に突出するようには形成されておらず、挟持ベルトのフィルム解放位置よりも僅か手前でガイドを終えるように形成されているようにみてとれる点。
　上記相違点１について検討するに、刊行物１には、切断工程後のフィルム端部の処理については格別記載されていないものであるが、トレイは仕上がりの美しい包装品としてフィルム包装されるものであるから、本件訂正発明１のようにトレイの前後を切断してトレイに折り込むことは、当業者であれば適宜採用することができる程度の事項にすぎないものである。
　次に、上記相違点２について検討するに、刊行物１に記載された発明の目的の１つは、「ストレッチフィルムを巻戻しつゝ挟持し、かつこれを緊張せしむるべく広巾の挟持ベルトを上下に傾斜して左右に対称的に配設せしめ、該広巾の挟持ベルトによりストレッチフィルム両端縁部が均等な力にて挟持されることゝ、該ストレッチフィルム端縁に近接して配設したフィルム押上機構により、ストレッチフィルムが筒状に形成されるまでトレイに接触せしめないようにしたストレッチ包装機を提供する」（記載事項ウ参照）ことにあり、その目的を達成するために、チエーンコンベア（フィルムガイド部）１６，１７をトレイの高さよりやゝ高い位置を走行させるように設けることによって、挟持ベルトによりフィルムが斜下方に進行しながら被包装物に当接してフィルム側方を下方へ強く伸長されて移行するときのフィルムに働く力を該チエーンコンベアで受けることによって、直接トレイに加わらないようにして、トレイ側部を圧損することがなく仕上りの美しい包装品を得られるようにしたもの（記載事項エ、オ、カ参照）である。
　そして、挟持ベルトによるフィルム側方を下方へ強く伸長する力は、挟持ベルトのフィルム解放位置まで働くものであり、トレイの側壁の変形を防止するためには、少なくとも挟持ベルトのフィルム解放位置まではチエーンコンベア（フィルムガイド部）を設ける必要があることは、当業者であれば容易に理解できることであるから、本件訂正発明１のように、フィルムガイド部の搬送方向先端部をフィルム供給装置のフィルムを左右両側から展張状態に挟持することが解放されるフィルム解放位置よりもトレイ搬送方向に突出するように配設するとともに、その搬送方向側先端部Ｑの高さ位置を前記トレイ１の上縁より若干高い位置に設定して、トレイが前記フィルム解放位置に合致する搬送位置よりも搬出側に搬送された後に前記フィルムガイドの搬送方向側先端部を過ぎる位置にてトレイの上部にフィルムを被せるように構成することは、当業者であれば上記刊行物１に記載された事項から必要に応じて容易に想到することができる程度の事項と認める。
　また、本件訂正発明１による効果も、刊行物１に記載された発明から当業者であれば予測することができる程度のものであって、格別のものとはいえない。
　したがって、本件訂正発明１は、刊行物１に記載された発明に基づいて当業者が容易に発明をすることができたものと認める。
　ところで、特許権者は、意見書を提出して、概略「刊行物１，２に記載された発明は、単にフィルムガイド部の搬送方向側先端部をフィルム供給装置の搬送方向側先端部の手前側に位置するように配設しているため、フィルム展張挟持が解かれないうちに展張したフィルムがトレイを上方から下方側に向けて押圧することになり、トレイや被包装物が強い負荷を受けてしまうという課題が残されている。」旨主張しているが、刊行物１に記載された発明において、チエーンコンベア（フィルムガイド部）をトレイの高さよりやゝ高い位置を走行させるように設けることの技術的意義は、挟持ベルト（フィルム供給装置）によりフィルムが斜下方に進行しながら被包装物に当接してフィルム側方を下方へ強く伸長されて移行するときのフィルムに働く力を該チエーンコンベアで受けることによって、直接トレイに加わらないようにしてトレイの変形を防止することにある。（記載事項ウ、エ、オ、カ参照）
　そして、チエーンコンベアは挟持ベルトに対してトレイの側壁の変形を防止することができる適宜な範囲に設けられるものであることは、当業者であれば容易に理解できることであるから、本件訂正発明１のようにフィルムガイド部の搬送方向側先端部をフィルム供給装置のフィルム解放位置よりもトレイ搬送方向にトレイ搬送方向に突出するように設けることは、当業者が必要に応じて容易に想到することができる事項であることは上記したとおりである。
　よって、特許権者の意見書での主張は採用することができない。
　【本件訂正発明２について】
　本件訂正発明２は、本件訂正発明１の技術事項を引用するとともに、「少なくとも前記フィルムガイド部の搬送方向側先端部のガイド上縁部を搬送方向に向かって下降傾斜する形状に構成し、この傾斜するガイド上縁部の前記フィルム解放位置に合致する搬送位置における高さを、前記コンベア装置により搬送される前記トレイの上縁より高い位置に設定したこと」と構成を限定したものであるが、フィルムガイド部の搬送方向先端部を下降傾斜形状とすることは、上記刊行物２に記載（記載事項キ及び第１図ないし第６図参照。）されているから、本件訂正発明２のようにフィルムガイド部の構成を限定することは、当業者であれば適宜採用することができる程度の事項にすぎないものである。
　また、本件訂正発明２による効果も、刊行物１及び２に記載された発明から当業者であれば予測することができる程度のものであって、格別のものとはいえない。
　したがって、本件訂正発明２は、刊行物１及び２に記載された発明に基づいて当業者が容易に発明をすることができたものと認める。
　【本件訂正発明３について】
　本件訂正発明３は、本件訂正発明１又は２の技術事項を引用するとともに、「遊転自在に設けたローラ部間に無端状ベルトを移動自在に懸架し、この無端状ベルトに前記フィルムが張架支持されるように前記フィルムガイド部を構成したこと」と構成を限定したものであるが、刊行物１及び２に記載された発明でも本件訂正発明３で限定した構成と同様の構成を採用しているものである。
　したがって、本件訂正発明３は、本件訂正発明２と同様に刊行物１及び２に記載された発明に基づいて当業者が容易に発明をすることができたものと認める。
　
　（４）むすび
　以上のとおりであるから、本件訂正発明１は、刊行物１に記載された発明に基づいて、本件訂正発明２及び３は、刊行物１及び２に記載された発明に基づいて当業者が容易に発明をすることができたものであるから、本件訂正発明１〜３は、特許法第２９条第２項の規定により特許を受けることができない。
　したがって、本件発明についての特許は、特許法第１１３条第２項に該当し取り消されるべきものである。
　よって、結論のとおり決定する。
【異議決定日】
平成１３年１０月２４日（２００１．１０．２４）
【訂正の要旨】
訂正の要旨
訂正事項１；特許請求の範囲の請求項１に係る記載
「トレイを載置搬送するコンベア装置の左右両側に、フィルムを展張して送り出す一対のフィルム供給装置を前記トレイの搬送方向に向かって下降傾斜状態に配設し、このフィルム供給装置の内側にこのフィルム供給装置によって展張されたフィルムを前記コンベア装置の上方に張架させる一対のフィルムガイド部を設け、前記トレイを前記コンベア装置によって搬送させ前記フィルムガイド部間を通過させて、前記フィルム供給装置から解放されたフィルムを前記トレイに上方から被せると共に、このフィルムの両端部を前記トレイの下側に誘導してフィルムをトレイに筒状に被せ、このトレイの前後のフィルムを切断してトレイに折り込みフィルム包装するように構成したストレッチ包装機において、前記フィルム供給装置の前記フィルムを左右両側から展張状態に挟持することが解放されるフィルム解放位置よりも、前記フィルムガイド部の搬送方向側先端部をトレイ搬送方向に突出するように配設し、前記展張されているフィルムは、前記フィルム供給装置のフィルム解放位置に合致する搬送位置に前記コンベア装置によって搬送されたトレイにおいては、前記フィルムガイド部によって前記トレイの上方に張架支持され、このトレイが前記フィルム解放位置に合致する搬送位置よりも搬出側に搬送された後にトレイの上部にフィルムが被せられるように構成したことを特徴とするストレッチ包装機。」
を特許請求の範囲の減縮を目的として
「トレイを載置搬送するコンベア装置の左右両側に、フィルムを展張して送り出す一対のフィルム供給装置を前記トレイの搬送方向に向かって下降傾斜状態に配設し、このフィルム供給装置の内側にこのフィルム供給装置によって展張されたフィルムを前記コンベア装置の上方に張架させる一対のフィルムガイド部を設け、前記トレイを前記コンベア装置によって搬送させ前記フィルムガイド部間を通過させて、前記フィルム供給装置から解放されたフィルムを前記トレイに上方から被せると共に、このフィルムの両端部を前記トレイの下側に誘導してフィルムをトレイに筒状に被せ、このトレイの前後のフィルムを切断してトレイに折り込みフィルム包装するように構成したストレッチ包装機において、前記フィルム供給装置の前記フィルムを左右両側から展張状態に挟持することが解放されるフィルム解放位置よりも、前記フィルムガイド部の搬送方向側先端部をトレイ搬送方向に突出するように配設するとともに、その搬送方向側先端部Ｑの高さ位置を前記トレイ１の上縁より若干高い位置に設定し、前記展張されているフィルムは、前記フィルム供給装置のフィルム解放位置に合致する搬送位置に前記コンベア装置によって搬送されたトレイにおいては、前記フィルムガイド部によって前記トレイの上方に張架支持され、このトレイが前記フィルム解放位置に合致する搬送位置よりも搬出側に搬送された後に前記フィルムガイドの搬送方向側先端部を過ぎる位置にてトレイの上部にフィルムが被せられるように構成したことを特徴とするストレッチ包装機。」
と訂正する。
訂正事項２；明細書の段落【００１０】を、明りょうでない記載の釈明を目的として
「トレイ１を載置搬送するコンベア装置２の左右両側に、フィルム３を展張して送り出す一対のフィルム供給装置４を前記トレイ１の搬送方向に向かって下降傾斜状態に配設し、このフィルム供給装置４の内側にこのフィルム供給装置４によって展張されたフィルム３を前記コンベア装置２の上方に張架させる一対のフィルムガイド部５を設け、前記トレイ１を前記コンベア装置２によって搬送させ前記フィルムガイド部５間を通過させて、前記フィルム供給装置４から解放されたフィルム３を前記トレイ１に上方から被せると共に、このフィルム３の両端部を前記トレイ１の下側に誘導してフィルム３をトレイ１に筒状に被せ、このトレイ１の前後のフィルム３を切断してトレイ１に折り込みフィルム包装するように構成したストレッチ包装機において、前記フィルム供給装置４の前記フィルム３を左右両側から展張状態に挟持することが解放されるフィルム解放位置Ｐよりも、前記フィルムガイド部５の搬送方向側先端部Ｑをトレイ搬送方向に突出するように配設するとともに、その搬送方向側先端部Ｑの高さ位置を前記トレイ１の上縁より若干高い位置に設定し、前記展張されているフィルム３は、前記フィルム供給装置４のフィルム解放位置Ｐに合致する搬送位置Ｐ’に前記コンベア装置２によって搬送されたトレイ１においては、前記フィルムガイド部５によって前記トレイ１の上方に張架支持され、このトレイ１が前記フィルム解放位置Ｐに合致する搬送位置Ｐ’よりも搬出側に搬送された後に前記フィルムガイド部５の搬送方向側先端部Ｑを過ぎる位置にてトレイ１の上部にフィルム３が被せられるように構成したことを特徴とするストレッチ包装機に係るものである。」
と訂正する。
（５４）【発明の名称】
ストレッチ包装機
（５７）【特許請求の範囲】
　【請求項１】　トレイを載置搬送するコンベア装置の左右両側に、フィルムを展張して送り出す一対のフィルム供給装置を前記トレイの搬送方向に向かって下降傾斜状態に配設し、このフィルム供給装置の内側にこのフィルム供給装置によって展張されたフィルムを前記コンベア装置の上方に張架させる一対のフィルムガイド部を設け、前記トレイを前記コンベア装置によって搬送させ前記フィルムガイド部間を通過させて、前記フィルム供給装置から解放されたフィルムを前記トレイに上方から被せると共に、このフィルムの両端部を前記トレイの下側に誘導してフィルムをトレイに筒状に被せ、このトレイの前後のフィルムを切断してトレイに折り込みフィルム包装するように構成したストレッチ包装機において、前記フィルム供給装置の前記フィルムを左右両側から展張状態に挟持することが解放されるフィルム解放位置よりも、前記フィルムガイド部の搬送方向側先端部をトレイ搬送方向に突出するように配設
するとともに、その搬送方向側先端部Ｑの高さ位置を前記トレイ１の上縁より若干高い位置に設定し、
前記フィルムガイドの搬送方向側先端部を過ぎる位置にて
　【請求項２】　少なくとも前記フィルムガイド部の搬送方向側先端部のガイド上縁部を搬送方向に向かって下降傾斜する形状に構成し、この傾斜するガイド上縁部の前記フィルム解放位置に合致する搬送位置における高さを、前記コンベア装置により搬送される前記トレイの上縁より高い位置に設定したことを特徴とする請求項１記載のストレッチ包装機。
　【請求項３】　遊転自在に設けたローラ部間に無端状ベルトを移動自在に懸架し、この無端状ベルトに前記フィルムが張架支持されるように前記フィルムガイド部を構成したことを特徴とする請求項１，２いずれか１項に記載のストレッチ包装機。
【発明の詳細な説明】
　【０００１】
　【産業上の利用分野】
　本発明は、トレイをコンベア装置によって搬送する一方、前記コンベア装置の上方において帯状のストレッチフィルムを前記トレイと同方向に搬送すると共に、このストレッチフィルムを展張させながら前記トレイの周りに筒状に被せて包装するようにしたストレッチ包装機に関するものである。
　【０００２】
　【従来の技術】
　従来、魚や肉や果実などの生鮮食料品をトレイに収容し、前記トレイの周りに上方から延展性のフィルム（ストレッチフィルム）を展張させながら被せ、トレイの下部で重合させ、各トレイ間のフィルムを切断して折り込むようにした包装機は多々ある。しかし、この際使用される前記ストレッチフィルムは非常に密着性が高いために、単にフィルムをトレイに被せたのではトレイの上面において展張作用が損なわれしわが生じたり、また逆に必要以上に展張したままでトレイに被せると、トレイが軟弱であったり、トレイに収容する内容物が軟弱なものであった場合には、フィルムの展張力が直接トレイや内容物に作用するためにつぶれてしまうことがあった。
　【０００３】
　そこでフィルムの両側端を支持してフィルムを送り出し供給する左右のフィルム供給装置の内側に、コンベア装置上を搬送するトレイの上方にフィルムを張架支持するフィルムガイド部を設けている。
　【０００４】
　即ち、コンベア装置の両側に搬送方向に長さを有するフィルムガイド部を設け、このフィルムを張架支持するフィルムガイド部の上縁部の高さをトレイの高さよりやや高くし搬送している（例えば実公昭６２−３１３６１号公報や特開平６−１５６４１７号公報など）。
　【０００５】
　このように構成すれば、前記フィルムガイド部がトレイの上面より高く設置されているのでフィルム展張時にフィルムは前記フィルムガイド部の上縁部を摺動し、トレイに接触することがないので、フィルム供給時においてトレイの上端縁や内容物に大きな負荷をかけることなくフィルム全体を均一な緊張状態に保持しつつ、そしてフィルムガイド部による左右のフィルム展張を解放しながらしわを生じないようにしつつも、トレイの上面部分にフィルムを展張状態にしてトレイに巻き付けるようにしている。
　【０００６】
　【発明が解決しようとする課題】
　しかしながら、従来のこのようなストレッチ包装機においては、前述のようにフィルムガイド部を設けているものの、単に前記フィルムガイド部の搬送方向側先端部を前記フィルム供給装置の搬送方向側先端部に位置するように配設しているため、例えばもしフィルムを左右両側から展張挟持することが解放されるフィルム供給装置の搬送方向側先端部のフィルム解放位置よりも、フィルムガイド部の搬送方向側先端部が若干後退した位置にあると、まだ左右のフィルム展張挟持が解かれないうちに展張したフィルムがトレイを上方から下方側に向けて押圧することになり、トレイが強い負荷を受けかねない。
　【０００７】
　トレイがある程度剛性のあるもので、前記フィルムの展張力による負荷を受けた程度では変形したりつぶれたりしないものであれば良いが、例えばいちごを入れるトレイなどのように剛性があまりなく、軟弱なものにおいては、トレイがつぶれ搬送に支障を生じる場合がある。即ち、トレイの種類によっては、このわずかなフィルムガイド部とフィルム供給装置の夫々の先端部の搬送方向に対する位置関係のズレによって、前記フィルム展張力による負荷により包装に支障を来すおそれがある。
　【０００８】
　本発明は、このような問題に着目し、このような問題を解決できる極めて実用性に秀れた画期的なストレッチ包装機を提供することを目的としている。
　【０００９】
　【課題を解決するための手段】
　添付図面を参照して本発明の要旨を説明する。
　【００１０】
　トレイ１を載置搬送するコンベア装置２の左右両側に、フィルム３を展張して送り出す一対のフィルム供給装置４を前記トレイ１の搬送方向に向かって下降傾斜状態に配設し、このフィルム供給装置４の内側にこのフィルム供給装置４によって展張されたフィルム３を前記コンベア装置２の上方に張架させる一対のフィルムガイド部５を設け、前記トレイ１を前記コンベア装置２によって搬送させ前記フィルムガイド部５間を通過させて、前記フィルム供給装置４から解放されたフィルム３を前記トレイ１に上方から被せると共に、このフィルム３の両端部を前記トレイ１の下側に誘導してフィルム３をトレイ１に筒状に被せ、このトレイ１の前後のフィルム３を切断してトレイ１に折り込みフィルム包装するように構成したストレッチ包装機において、前記フィルム供給装置４の前記フィルム３を左右両側から展張状態に挟持することが解放されるフィルム解放位置Ｐよりも、前記フィルムガイド部５の搬送方向側先端部Ｑをトレイ搬送方向に突出するように配設
するとともに、その搬送方向側先端部Ｑの高さ位置を前記トレイ１の上縁より若干高い位置に設定し、
前記フィルムガイド部５の搬送方向側先端部Ｑを過ぎる位置にて
　【００１１】
　また、少なくとも前記フィルムガイド部５の搬送方向側先端部Ｑのガイド上縁部５Ａを搬送方向に向かって下降傾斜する形状に構成し、この傾斜するガイド上縁部５Ａの前記フィルム解放位置Ｐに合致する搬送位置Ｐ’における高さを、前記コンベア装置２により搬送される前記トレイ１の上縁１Ａより高い位置に設定したことを特徴とする請求項１記載のストレッチ包装機に係るものである。
　【００１２】
　また、遊転自在に設けたローラ部６間に無端状ベルト７を移動自在に懸架し、この無端状ベルト７に前記フィルム３が張架支持されるように前記フィルムガイド部５を構成したことを特徴とする請求項１，２いずれか１項に記載のストレッチ包装機に係るものである。
　【００１３】
　【発明の実施の形態】
　本発明の実施の形態を作用効果を示して実施の一例である図面に基づいて簡単に説明する。
　【００１４】
　コンベア装置２により内容物８を収容したトレイ１が搬送されると共に、このコンベア装置２の左右両側に設けたフィルム供給装置４によってフィルム３は左右両端が挟持されて展張状態でトレイ搬送方向に送り出される。
　【００１５】
　このフィルム３はコンベア装置２の左右両側の設けたフィルムガイド部５によってコンベア装置２上に張架支持され、このフィルムガイド部５によるフィルム張架作用の消失並びにフィルム供給装置４による展張挟持の解放によってトレイ１の上方よりフィルム３が被せれると共に、前記解放されたフィルム３の左右両端をトレイ１の下側中央に誘導してフィルム３をトレイ１に筒状に被せ、更にトレイ１の前後のフィルム３を切断してトレイ１に折り込みトレイ１をストレッチ包装する。
　【００１６】
　この際本発明においては、コンベア装置２によってトレイ１が前記フィルム供給装置４の前記フィルム３を左右両側から展張状態に挟持することが解放されるフィルム解放位置Ｐに合致する搬送位置Ｐ’まで搬送されても、フィルム３はこの時点ではまだトレイ１の上方にフィルムガイド部５によって張架支持されていて、フィルム３の展張力がトレイ１に及ばず、たとえトレイ１が軟弱なものであっても、変形したり押しつぶされたりしない。
　【００１７】
　即ち、前記フィルム解放位置Ｐに合致した搬送位置Ｐ’を過ぎるまでは、フィルム３は左右のフィルム供給装置４により両端部が挟持されていて強い展張力を有しているが、この強い展張状態においては、まだフィルムガイド部５の存在によってトレイ１上方に確実に張架支持され、この強い展張力がトレイ１に及ばないように構成している。
　【００１８】
　そして、このフィルム解放位置Ｐに合致した搬送位置Ｐ’よりも搬出側にトレイ１が搬送されると左右両側からのフィルム展張挟持が解放され、更にフィルムガイド部５のフィルム張架作用がトレイ１に受け渡される際（後述する実施例においてはフィルムガイド部５の搬送方向側先端部Ｑを過ぎることによってフィルムガイド部５による張架状態が解放されつつフィルム３が送られてトレイ１に受け渡される場合、あるいは例えばフィルムガイド部５の高さが徐々に低くなり展張力が弱められつつトレイ１の高さと同じか低くなる位置にて前記フィルム３の張架状態をトレイ１に受け渡す場合など）、前記フィルム供給装置４によるフィルム１の左右両側が解放されているため、トレイ１の上方から下方側に向けて押し下げる作用が抑えられながらトレイ１にフィルム３が上方より被せられてトレイ１とともにフィルム３が搬送される。
　【００１９】
　従って、本発明は、フィルム解放位置Ｐよりもフィルムガイド部５の搬送方向側先端部Ｑを搬送方向側に突出させることで、フィルム３を左右から展張挟持した状態が解放された後に前記フィルムガイド部５のフィルム張架作用をトレイ１に受け渡すようにし、フィルム３の強い展張力がトレイ１に確実に及ばない構成とし、トレイ１の種類を問わず軟弱なトレイ１でも搬送・包装可能となる。
　【００２０】
　しかもこの突出度をわずかな突出度に設計することにより、前記フィルム展張解放後にすかさずトレイ１にフィルム３が上方から接触して被せられるように構成し、このタイミングが遅れてフィルム３に目立ったしわが生じることもないように構成できることとなる。
　【００２１】
　【実施例】
　本発明の具体的な実施例について図面に基づいて説明する。
　【００２２】
　本実施例は、例えばきのこやいちごなどの食品を収容する上部開口箱状の透明樹脂製のトレイ１を、密着性が高く延展性を有するストレッチフィルム３により上方から筒状に包み、切断される前後端をトレイ下側へ折り込みストレッチ包装する包装機に本発明を適用している。
　【００２３】
　本実施例のストレッチ包装機は、水平搬送するトレイ１の上方に帯状のフィルム３を展張状態にトレイ搬送方向へ引き出しつつトレイ１の上方からこのフィルム３をトレイ１に接触させるフィルム被覆工程部分Ａと、トレイ１を更に搬送しつつ搬出側よりフィルム３を引き取りながらフィルム３の左右端をトレイ１の下側中央に誘導してフィルム３をトレイ１に筒状に包装するフィルム包装工程部分Ｂと、順次搬送されて包装されるトレイ１間のフィルム３を切断すると共に、切断したフィルム前後端をトレイ１下側へ折り込み、ストレッチ包装を終えたトレイ１を搬出するフィルム切断包装完了工程部分Ｃとから構成されている。
　【００２４】
　先ず、本発明の主要部であるフィルム被覆工程部分Ａの具体的な実施例について説明する。
　【００２５】
　トレイ１を前方へ水平載置搬送するコンベア装置２の左右両側に、帯状のストレッチフィルム３を左右端を挟持することで展張させた状態で、コンベア装置２上方のフィルムロール３Ａから引き出しつつトレイ搬送方向へ送り出す一対のフィルム供給装置４を配設している。
　【００２６】
　この左右のフィルム供給装置４は、巻回移送されるベルトコンベア装置４Ａを上下に近接させ、この上下のベルトコンベア装置４Ａによってフィルム３の側端を展張挟持するように構成している。
　【００２７】
　即ち、左右に配した上下のベルトコンベア装置４Ａによって、フィルムロール３Ａから引き出されるフィルム３の左右両側端縁を挟持し、このベルトコンベア装置４Ａの送り移動によってフィルム３をトレイ１の搬送方向に送り出すように構成している。
　【００２８】
　またこの左右のフィルム供給装置４は夫々トレイ１の搬送方向に向かって下降傾斜状態に設けている。
　【００２９】
　これにより、フィルム３は左右から徐々に強く引っ張られて展張されて行くように構成し、本実施例では搬送先端部においてはコンベア装置２上のトレイ１下面よりも低い位置に来るように構成されている。
　【００３０】
　また、この左右のフィルム供給装置４の内側であってコンベア装置２の左右両側に、前記左右両側端が挟持されて展張されるフィルム３をコンベア装置２（トレイ１）の上方に張架支持するフィルムガイド部５を配設している。
　【００３１】
　この左右のフィルムガイド部５は搬送方向に長さを有し、そのガイド上縁部５Ａは左右同じ高さに配され、コンベア装置２により水平搬送されるトレイ１の上方にフィルム３を張架支持し、フィルム３をトレイ１の上方に展張状態のまま水平張架保持させつつ、フィルム３を前記送り出しによってガイド上縁部５Ａを摺動（本実施例では、フィルムガイド部５の長さ方向に移動）するように構成している。
　【００３２】
　従って、このフィルムガイド部５によるフィルム張架作用がなくなるまでは、フィルム３はトレイ１には接触せず、左右のフィルム供給装置４によりフィルム３は展張状態でトレイ１の上方に張架されたまま搬送方向へ送り出されていくように構成している。
　【００３３】
　一方、フィルム供給装置４の上下のベルトコンベア装置４Ａによってフィルム側端の挟持が解放される搬送方向側先端部のフィルム解放位置Ｐをフィルム３が過ぎると、即ち具体的には、ベルトコンベア装置４Ａの末端においてベルト同志によるフィルム３の挟持が解除されるフィルム解放位置Ｐを過ぎると、前記フィルム包装工程部分Ｂのフィルム送りローラ９によりフィルム３の両端縁を重ね合わせてフィルムの筒状化を確実にしつつ搬送を続けると共に、フィルム３の両端縁を案内するガイドシャフト１０やガイド板１１に設けたガイド縁部１２などのフィルム案内機構１３によって、ベルトコンベア装置４Ａより解放されたフィルム３はトレイ１の下側中央へ案内されると共に、上方においては前記フィルムガイド部５の搬送方向側先端部Ｑを過ぎてフィルム３がトレイ１の上方から被せられるように構成している。
　【００３４】
　本実施例においてはこのトレイ１を左右両側より挟持搬送する第二コンベア装置１４による継続搬送と、前記フィルム案内機構１３によってトレイ１にフィルム３が筒状に巻き付けられるように構成している。
　【００３５】
　本実施例は、このようなストレッチ包装機において、前記フィルムガイド部５のガイド上縁部５Ａを搬送方向側先端部Ｑの末端に至るまでコンベア装置２上のトレイ１の上縁高さよりも高い位置に設定し、しかもこのフィルムガイド部５のガイド上縁部５Ａの搬送方向側先端部Ｑの末端を前記フィルム解放位置Ｐよりも確実に搬送方向側へ突出するように設定している。
　【００３６】
　即ち、図５，図６に示すように、側方より本機を見た場合に、搬送方向に対する位置関係において、前記フィルム解放位置Ｐよりもフィルムガイド部５のガイド上縁部５Ａの搬送方向側先端部Ｑがトレイ１の搬送方向に突出するように構成している。
　【００３７】
　従って、図５，図８に示すように、コンベア装置２によってトレイ１が前記フィルム供給装置４の前記フィルム３を左右両側から展張状態に挟持することが解放されるフィルム解放位置Ｐに合致する搬送位置Ｐ’まで搬送されても、フィルム３はこの時点ではまだトレイ１の上方にフィルムガイド部５によって張架支持されていて、フィルム３の展張力がトレイ１に及ばず、たとえトレイ１が軟弱なものであっても、変形したり押しつぶされたりしない。
　【００３８】
　即ち、前記フィルム解放位置Ｐに合致した搬送位置Ｐ’を過ぎるまでは、フィルム３は左右のフィルム供給装置４により両端部が挟持されていて強い展張力を有しているが、この強い展張状態においては、まだフィルムガイド部５の存在によってトレイ１上方に確実に張架支持され、この強い展張力がトレイ１に及ばないように構成している。
　【００３９】
　そして、図６，図９に示すように、このフィルム解放位置Ｐに合致した搬送位置Ｐ’よりも搬出側にトレイ１が搬送されると左右両側からのフィルム展張挟持が解放され、更にフィルムガイド部５のフィルム張架作用がトレイ１に受け渡される際（後述する実施例においてはフィルムガイド部５の搬送方向側先端部Ｑを過ぎることによってフィルムガイド部５による張架状態が解放されつつフィルム３が送られてトレイ１に受け渡される場合、あるいは例えばフィルムガイド部５の高さが徐々に低くなり展張力が弱められつつトレイ１の高さと同じか低くなる位置にて前記フィルム３の張架状態をトレイ１に受け渡す場合など）前記フィルム供給装置４によるフィルム１の左右両側が解放されているため、トレイ１の上方から下方側に向けて押し下げる力が抑えられながらトレイ１にフィルム３が上方より被せられてトレイ１とともにフィルム３が搬送される。
　【００４０】
　従って、本発明は、フィルム解放位置Ｐよりもフィルムガイド部５の搬送方向側先端部Ｑを搬送方向側に突出させることで、フィルム３を左右から展張挟持した状態が解放された後に前記フィルムガイド部５のフィルム張架作用をトレイ１へと受け渡すようにすることによって、フィルム３の強い展張力がトレイ１の上方から下方側に向けて押し下げる力が抑制され、これによりトレイ１の種類を問わず軟弱なトレイ１でも搬送・包装可能となる。
　【００４１】
　しかも本実施例ではこの突出度をわずかな突出度に設計することにより、前記フィルム展張解放後にすかさずトレイ１にフィルム３が上方から接触して被せられるように構成し、このタイミングが遅れてフィルム３に目立ったしわが生じることもないように構成している。
　【００４２】
　尚、本実施例においては、フィルム解放位置Ｐよりもフィルムガイド部５の搬送方向先端部Ｑが搬送方向側にやや突出するように設定しているが、フィルム幅やフィルム材質，フィルムの伸び率などを考慮し前記フィルムガイド部５の搬送方向先端部Ｑの突出位置が適正となるように調整自在となるように構成しても良い。
　【００４３】
　また、本実施例においてはフィルムガイド部５のガイド上縁部５Ａを途中まではトレイ１の上縁１Ａより十分に高い位置となるようにし、搬送方向側の先端部を搬送方向に向かって徐々に下降傾斜させて、その先端部Ｑにおいては、ごくわずかだけトレイ１の上縁上方に位置する高さとなるように構成している。
　【００４４】
　即ち、フィルム供給装置４により展張されるフィルム３は途中まではトレイ１のかなり上方に水平張架支持されつつ引き出し搬送されて行き、フィルム解放位置Ｐ付近においては徐々に下降して行き、トレイ１の上方近傍まで下げられて行くことになる。
　【００４５】
　しかし、前述のようにこのトレイ１の搬送方向側のガイド上縁部５Ａの先端部Ｑは確実にフィルム解放位置Ｐよりもトレイ１の搬送方向側に突出しているため、必ずフィルム供給装置４によりフィルム展張が解除されるまでは、このガイド上縁部５Ａによるフィルム張架作用は確実に保持される。
　【００４６】
　しかも、十分にトレイ１の上方近傍に位置させておくことができるため、前記突出度がわずかでも、タイミングが遅れることなく、展張解除後すみやかにトレイ１にフィルム３を接触させることができるため、強い展張力がトレイ１にかからず、しかもしわをできるだけ生じさせないようにフィルム１を被せることができる。
　【００４７】
　また、このように予め（途中までは）フィルムガイド部５のガイド上縁部５Ａを高い位置に設けているため、トレイ１からも内容物８が上方に突出していても（内容物８が展張したフィルム１にあたるとしても）搬送・包装が可能となる。
　【００４８】
　この場合において、トレイ１および内容物８の両側にフィルムガイド部５のガイド上縁部５Ａを設けることによりフィルム３の展張による応力がトレイ１の両側に配設されたガイド上縁部５Ａによって受けることができ、これにより内容物８やトレイ１がフィルム３の展張力がその上方から下方側に向けて押し下げられる作用を抑制することができ、柔らかい内容物８やトレイ１をつぶしてしまうという問題をも未然に防ぐことができる。
　【００４９】
　従って、本実施例においては、前記強い展張力がトレイ１に及ぶことが確実に防止できるため、従来のように剛性のあるトレイだけでなく、軟弱なトレイでも良く、トレイの種類においても、内容物の詰め方においても、搬送トレイの適用範囲が広くなり汎用性が向上し、それだけ本機の実用性が向上することとなる。
　【００５０】
　また、本実施例では、遊転自在に設けたローラ部６間にフィルム３を傷めにくい丸杆状の無端状ベルト７を移動自在に懸架し、この無端状ベルト７に前記フィルム３が張架支持されるように前記フィルムガイド部５を構成している。
　【００５１】
　従って、前記作用・効果を有するフィルムガイド部５の構成が実現し易い構成となると共に、フィルム３の移動搬送がスムーズとなり極めて実用性に秀れたストレッチ包装機となる。
　【００５２】
　即ち、フィルム３がガイド上縁部５Ａ上を摺動搬送させなくとも、本実施例は、このガイド上縁部５Ａとして機能するローラなどに懸け渡された無端状ベルト７はフィルム３の搬送移動に連れて前記無端状ベルト７が摩擦の作用によって送られフィルム３を傷めずスムーズに搬送できるように構成している。
　【００５３】
　次にフィルム包装工程部分Ｂ，フィルム切断包装完了工程部分Ｃについて簡単に説明する。
　【００５４】
　前述のようにトレイ１をコンベア装置２から左右挟持タイプの第二コンベア装置１４へ受け渡し搬送しつつ、フィルム供給装置４の搬送方向側先端部の（トレイ搬送位置より低い高さの）フィルム解放位置Ｐで解放したフィルム３を前記送りローラ９によって搬送させつつ、前記案内機構１３によって左右のフィルム側端をトレイ１の下方中央へ重合するように誘導し、トレイ１にフィルム３を筒状に重合巻き取り包装するように構成している。
　【００５５】
　このようにしてフィルム包装されるトレイ１間に下降する切断装置１５によって、トレイ１間のフィルム３を切断すると共に、この切断端をトレイ１の下面側へ折り込むように構成している。
　【００５６】
　このようにしてストレッチ包装を完了したトレイ１を搬出コンベア装置１６へ搬出するように構成している。
　【００５７】
　【発明の効果】
　本発明は、上述のように構成したから、簡単な構成あるいは簡単な構成設定によって、フィルムを左右から展張挟持した状態が解放された後に前記フィルムガイド部のフィルム張架作用をトレイへと受け渡すことになり、フィルムの強い展張力がトレイに確実に及ばなく、トレイの種類を問わず軟弱なトレイでも搬送・包装可能となる極めて実用性に秀れたストレッチ包装機となる。
　【００５８】
　また、請求項２記載の発明においては、前記作用・効果が確実に発揮されると共に、たとえトレイから内容物が上方へ突出していても、搬送・包装が可能となり、一層適用包装物の範囲が広くなり汎用性が向上し、極めて実用性に秀れたストレッチ包装機となる。
　【００５９】
　また、請求項３記載の発明においては、前記作用・効果を奏する構成を容易に実現でき、しかもフィルムの搬送が一層スムーズとなる極めて実用性に秀れたストレッチ包装機となる。
【図面の簡単な説明】
　【図１】
　本実施例の概略構成側面図である。
　【図２】
　本実施例の概略構成平面図である。
　【図３】
　本実施例の要部の概略構成正面図である。
　【図４】
　本実施例の要部の拡大概略斜視図である。
　【図５】
　本実施例のトレイがフィルム解放位置に至った時点での要部の拡大説明側面図である。
　【図６】
　本実施例のトレイがフィルム解放位置に合致する搬送位置を過ぎてフィルムがトレイに接触した時点での要部の拡大説明側面図である。
　【図７】
　本実施例のトレイがフィルム解放位置に合致する搬送位置に至る前の要部の拡大説明正面図である。
　【図８】
　本実施例のトレイがフィルム解放位置に合致する搬送位置に至った時点での要部の拡大説明正面図である。
　【図９】
　本実施例のトレイがフィルム解放位置に合致する搬送位置を過ぎてフィルムがトレイに接触した時点での要部の拡大説明正面図である。
　【符号の説明】
　１　トレイ
　２　コンベア装置
　３　フィルム
　４　フィルム供給装置
　５　フィルムガイド部
　５Ａ　ガイド上縁部
　６　ローラ部
　７　無端状ベルト
　Ｐ　（フィルム供給装置の搬送方向側先端部の）フィルム解放位置
　Ｐ’フィルム解放位置に合致する搬送位置
　Ｑ　（フィルムガイド部の）搬送方向側先端部